(57)【特許請求の範囲】
【請求項１】
ワイヤレスネットワークで通信するための装置であって、
送り手からユーザデータを受信し、
中断が原因で前記送り手からのユーザデータの受信を停止し、
前記中断から復帰すると、前記中断前の少なくとも最後の受信されたユーザデータを特定するとともに、前記中断が原因で消失したユーザデータを特定するステータス情報を前記送り手に送信するように構成されたプロセッサを含み、
前記ステータス情報は、前記送り手からポーリング要求を受信することと無関係に送信され、前記ステータス情報が、ステータスプロトコルデータユニット(PDU)を含み、前記ステータスPDUが、最後の受信されたPDUの連番に関連する値を含む肯定応答と、最初の消失したPDUの連番に関連する値および前記最初の消失したPDUに続く連続するPDUの総数を含む否定応答とを含む、装置。
【請求項２】
前記プロセッサが、前記ステータス情報を前記送り手に送信した結果として前記消失したユーザデータを受信するようにさらに構成される請求項1に記載の装置。
【請求項３】
肯定応答が、前記少なくとも最後の受信されたユーザデータに対応する請求項1に記載の装置。
【請求項４】
前記送り手から受信されるユーザデータが、複数のPDUを含む請求項3に記載の装置。
【請求項５】
否定応答が、前記消失したユーザデータに対応する請求項3に記載の装置。
【請求項６】
前記送り手から受信されるユーザデータが、複数のPDUを含む請求項5に記載の装置。
【請求項７】
前記複数のPDUのそれぞれのPDUが、一意の連番を含む請求項6に記載の装置。
【請求項８】
前記プロセッサが、
媒体アクセス制御(MAC)レイヤを使用してユーザデータを受信し、
前記MACレイヤのリセットとは無関係に前記ステータス情報を送信するようにさらに構成される請求項1に記載の装置。
【請求項９】
前記プロセッサが、前記中断から復帰すると直ちに前記ステータス情報を送信するようにさらに構成される請求項1に記載の装置。
【請求項１０】
前記プロセッサが、ユーザデータおよび制御情報のうちの少なくとも一方を送信するように構成された複数の通信チャネルを監視するようにさらに構成され、前記中断が、前記プロセッサが前記送り手からユーザデータを受信するように構成されたチャネル以外の通信チャネルを監視することに起因する請求項1に記載の装置。
【請求項１１】
前記プロセッサが、ユーザデータおよびステータス情報のうちの少なくとも一方を送信するように構成された複数の通信チャネルを監視するようにさらに構成され、前記中断が、前記プロセッサが前記装置に着呼を知らせるように構成されたページングチャネルを監視することに起因する請求項1に記載の装置。
【請求項１２】
前記中断が周期的である請求項11に記載の装置。
【請求項１３】
前記プロセッサが、GSMワイヤレスネットワーク、EDGEワイヤレスネットワーク、UMTSワイヤレスネットワーク、LTEワイヤレスネットワーク、およびLTE Advancedワイヤレスネットワークのうちの少なくとも1つを介して前記送り手からユーザデータを受信するようにさらに構成される請求項1に記載の装置。
【請求項１４】
ワイヤレスネットワークで通信する方法であって、
送り手からユーザデータを受信するステップと、
中断が原因で前記送り手からのユーザデータの受信を停止するステップと、
前記中断から復帰すると、前記中断前の少なくとも最後の受信されたユーザデータを特定するとともに、前記中断が原因で消失したユーザデータを特定するステータス情報を前記送り手に送信するステップとを含み、
前記ステータス情報は、前記送り手からポーリング要求を受信することと無関係に送信され、前記ステータス情報が、ステータスプロトコルデータユニット(PDU)を含み、前記ステータスPDUが、最後の受信されたPDUの連番に関連する値を含む肯定応答と、最初の消失したPDUの連番に関連する値および前記最初の消失したPDUに続く連続するPDUの総数を含む否定応答とを含む、方法。
【請求項１５】
前記ステータス情報を前記送り手に送信するステップの結果として、前記消失したユーザデータを受信するステップをさらに含む請求項14に記載の方法。
【請求項１６】
肯定応答が、前記少なくとも最後の受信されたユーザデータに対応する請求項14に記載の方法。
【請求項１７】
前記送り手から受信されるユーザデータが、複数のPDUを含む請求項16に記載の方法。
【請求項１８】
否定応答が、前記消失したユーザデータに対応する請求項16に記載の方法。
【請求項１９】
前記送り手から受信されるユーザデータが、複数のPDUを含む請求項18に記載の方法。
【請求項２０】
前記複数のPDUのそれぞれのPDUが、一意の連番を含む請求項19に記載の方法。
【請求項２１】
媒体アクセス制御(MAC)レイヤを使用してユーザデータを受信するステップと、
前記MACレイヤのリセットとは無関係に前記ステータス情報を送信するステップとをさらに含む請求項14に記載の方法。
【請求項２２】
前記中断から復帰すると直ちに前記ステータス情報を送信するステップをさらに含む請求項14に記載の方法。
【請求項２３】
前記中断が、前記送り手から呼データを受信するように構成されたチャネル以外の通信チャネルの監視に起因する請求項14に記載の方法。
【請求項２４】
前記中断が、着呼を知らせるように構成されたページングチャネルの監視に起因する請求項14に記載の方法。
【請求項２５】
GSMワイヤレスネットワーク、EDGEワイヤレスネットワーク、UMTSワイヤレスネットワーク、LTEワイヤレスネットワーク、およびLTE Advancedワイヤレスネットワークのうちの少なくとも1つを介して前記送り手からユーザデータを受信するステップをさらに含む請求項14に記載の方法。
【請求項２６】
実行されるときに装置に
送り手からユーザデータを無線で受信させ、
中断が原因で前記送り手からのユーザデータの受信を停止させ、
前記中断から復帰すると、前記中断前の少なくとも最後の受信されたユーザデータを特定するとともに、前記中断が原因で消失したユーザデータを特定するステータス情報を前記送り手に無線で送信させる命令を含み、
前記ステータス情報は、前記送り手からポーリング要求を受信することと無関係に送信され、前記ステータス情報が、ステータスプロトコルデータユニット(PDU)を含み、前記ステータスPDUが、最後の受信されたPDUの連番に関連する値を含む肯定応答と、最初の消失したPDUの連番に関連する値および前記最初の消失したPDUに続く連続するPDUの総数を含む否定応答とを含む、非一時的コンピュータ可読媒体。
【請求項２７】
実行されるときに前記装置に、前記ステータス情報を前記送り手に送信した結果として前記消失したユーザデータを受信させる命令をさらに含む請求項26に記載のコンピュータ可読媒体。
【請求項２８】
肯定応答が、前記少なくとも最後の受信されたユーザデータに対応する請求項26に記載のコンピュータ可読媒体。
【請求項２９】
前記送り手から受信されるユーザデータが、複数のPDUを含む請求項28に記載のコンピュータ可読媒体。
【請求項３０】
否定応答が、前記消失したユーザデータに対応する請求項28に記載のコンピュータ可読媒体。
【請求項３１】
前記送り手から受信されるユーザデータが、複数のPDUを含む請求項30に記載のコンピュータ可読媒体。
【請求項３２】
前記複数のPDUのそれぞれのPDUが、一意の連番を含む請求項31に記載のコンピュータ可読媒体。
【請求項３３】
実行されるときに前記装置に
媒体アクセス制御(MAC)レイヤを使用してユーザデータを受信させ、
前記MACレイヤのリセットとは無関係に前記ステータス情報を送信させる命令をさらに含む請求項26に記載のコンピュータ可読媒体。
【請求項３４】
実行されるときに前記装置に、前記中断から復帰すると直ちに前記ステータス情報を送信させる命令をさらに含む請求項26に記載のコンピュータ可読媒体。
【請求項３５】
実行されるときに前記装置に、ユーザデータおよび制御情報のうちの少なくとも一方を送信するように構成された複数の通信チャネルを監視させる命令をさらに含み、前記中断が、前記装置が前記送り手から呼データを受信するように構成されたチャネル以外の通信チャネルを監視することに起因する請求項26に記載のコンピュータ可読媒体。
【請求項３６】
実行されるときに前記装置に、ユーザデータおよび制御情報のうちの少なくとも一方を送信するように構成された複数の通信チャネルを監視させる命令をさらに含み、前記中断が、前記装置が前記装置に着呼を知らせるように構成されたページングチャネルを監視することに起因する請求項26に記載のコンピュータ可読媒体。
【請求項３７】
実行されるときに前記装置に、GSMワイヤレスネットワーク、EDGEワイヤレスネットワーク、UMTSワイヤレスネットワーク、LTEワイヤレスネットワーク、およびLTE Advancedワイヤレスネットワークのうちの少なくとも1つを介して前記送り手からユーザデータを受信させる命令をさらに含む請求項26に記載のコンピュータ可読媒体。
【請求項３８】
ワイヤレスネットワークで通信するための装置であって、
送り手からユーザデータを受信するための手段と、
前記受信する手段が中断が原因で前記送り手からのユーザデータの受信を停止したかどうかを判定するための手段と、
前記中断から復帰すると、前記中断前の少なくとも最後の受信されたユーザデータを特定するとともに、前記中断が原因で消失したユーザデータを特定するステータス情報を前記送り手に送信するための手段とを含み、
前記ステータス情報は、前記送り手からポーリング要求を受信することと無関係に送信され、前記ステータス情報が、ステータスプロトコルデータユニット(PDU)を含み、前記ステータスPDUが、最後の受信されたPDUの連番に関連する値を含む肯定応答と、最初の消失したPDUの連番に関連する値および前記最初の消失したPDUに続く連続するPDUの総数を含む否定応答とを含む、装置。
【請求項３９】
受信するための前記手段が、前記送信する手段が前記ステータス情報を前記送り手に送信した結果として前記消失したユーザデータを受信するように構成される請求項38に記載の装置。
【請求項４０】
肯定応答が、前記少なくとも最後の受信されたユーザデータに対応する請求項38に記載の装置。
【請求項４１】
前記送り手から受信されるユーザデータが、複数のPDUを含む請求項40に記載の装置。
【請求項４２】
否定応答が、前記消失したユーザデータに対応する請求項40に記載の装置。
【請求項４３】
前記送り手から受信されるユーザデータが、複数のPDUを含む請求項42に記載の装置。
【請求項４４】
前記複数のPDUのそれぞれのPDUが、一意の連番を含む請求項43に記載の装置。
【請求項４５】
受信するための前記手段が、媒体アクセス制御(MAC)レイヤを使用してユーザデータを受信するように構成され、
送信するための前記手段が、前記MACレイヤのリセットとは無関係に前記ステータス情報を送信するように構成される請求項38に記載の装置。
【請求項４６】
送信するための前記手段が、前記中断から復帰すると直ちに前記ステータス情報を送信するように構成される請求項38に記載の装置。
【請求項４７】
ユーザデータおよび制御情報のうちの少なくとも一方を送信するように構成された複数の通信チャネルを監視するための手段をさらに含み、前記中断が、前記監視する手段が前記送り手から呼データを受信するように構成されたチャネル以外の通信チャネルを監視することに起因する請求項38に記載の装置。
【請求項４８】
ユーザデータおよび制御情報のうちの少なくとも一方を送信するように構成された複数の通信チャネルを監視するための手段をさらに含み、前記中断が、前記監視する手段が前記装置に着呼を知らせるように構成されたページングチャネルを監視することに起因する請求項38に記載の装置。
【請求項４９】
前記受信する手段が、GSMワイヤレスネットワーク、EDGEワイヤレスネットワーク、UMTSワイヤレスネットワーク、LTEワイヤレスネットワーク、およびLTE Advancedワイヤレスネットワークのうちの少なくとも1つを介して前記送り手からユーザデータを受信するように構成される請求項38に記載の装置。
【発明の詳細な説明】
【技術分野】
【０００１】
本出願は、一般に、ワイヤレス通信に関し、より詳細には、ダウンリンクの改善された復旧のためのシステム、方法、およびデバイスに関する。
【背景技術】
【０００２】
音声およびデータなどのさまざまな種類の通信コンテンツを提供するために、無線通信システムが、広く展開されている。典型的なワイヤレス通信システムは、利用可能なシステムリソース(例えば、帯域幅、送信電力)を共有することによって複数のユーザとの通信をサポートすることができる多元接続システムである可能性がある。そのような多元接続システムの例は、符号分割多元接続(CDMA)システム、時分割多元接続(TDMA)システム、周波数分割多元接続(FDMA)システム、直交周波数分割多元接続(OFDMA)システムなどを含み得る。加えて、システムは、第3世代パートナーシッププロジェクト(3GPP)、3GPP2、3GPPロングタームエボリューション(LTE)、LTE Advancedなどの仕様に準拠する可能性がある。
【０００３】
概して、ワイヤレス多元接続通信システムは、複数のモバイルデバイスに関する通信を同時にサポートすることができる。各モバイルデバイスは、順方向リンクおよび逆方向リンクの送信によって1つまたは複数の基地局と通信することができる。順方向リンク(またはダウンリンク)は、基地局からモバイルデバイスへの通信リンクを指し、逆方向リンク(またはアップリンク)は、モバイルデバイスから基地局への通信リンクを指す。
【０００４】
高レートのマルチメディアデータサービスの需要が急速に高まっているので、性能を高めた効率的で堅牢な通信システムを実装する努力がなされてきた。例えば、近年、ユーザは、固定回線通信をモバイル通信で置き換え始めており、高い音声品質、信頼性の高いサービス、および低価格をますます求めるようになった。
【０００５】
高まる需要に応えるために、ワイヤレス通信システムのコアネットワークの進化が、無線インターフェースの進化に続いて起こった。例えば、3GPPによって主導されるシステムアーキテクチャエボリューション(SAE)は、移動体通信用グローバルシステム(GSM（登録商標）: Global System for Mobile communications)/汎用パケット無線サービス(GPRS: General Packet Radio Service)のコアネットワークを進化させることを目指している。その結果できあがった進化型パケットコア(EPC)は、運用者が複数の無線アクセステクノロジーを用いる1つの共通のパケットに基づくコアネットワークを展開し、利用することを可能にするインターネットプロトコル(IP)に基づく多元接続コアネットワークである。EPCは、モバイルデバイスに最適化されたモビリティ(mobility)を提供し、異なる無線アクセステクノロジーの間の(例えば、LTEと高レートパケットデータ(HRPD)との間の)効率的なハンドオーバを可能にする。加えて、標準化されたローミングインターフェースが、運用者がさまざまなアクセステクノロジーにまたがって加入者にサービスを提供することを可能にする。
【０００６】
ワイヤレス通信システム内のデバイスは、互いの間で情報を送信/受信することができる。通信プロセスの一部として、第2のデバイスから情報を受信する第1のデバイスは、第1のデバイスが情報を受信したことを知らせる肯定応答(ACK)を第2のデバイスに送信することができる。さらに、第1のデバイスは、第1のデバイスが情報を受信していないことを示す否定応答(NACK)を第2のデバイスに送信することができる。肯定応答および/または否定応答を送信する動作は、送信された情報が第2のデバイスによって正常に受信されたかどうか、または情報が再送信される必要があるかどうかを第1のデバイスに知らせる。
【先行技術文献】
【非特許文献】
【０００７】
【非特許文献１】3GPP TS 25.322: Radio Link Control (RLC) protocol specification (Release 7)
【発明の概要】
【発明が解決しようとする課題】
【０００８】
特定の状況では、第1のデバイスは、中断が原因で、第2のデバイスによって送信された情報を受信しなかった可能性がある。そのような状況では、第1のデバイスは、情報が再送信される必要があることを第2のデバイスに示すための1つまたは複数の復旧メカニズムを使用する可能性がある。しかし、そのような復旧メカニズムを利用することに関連する遅延およびオーバーヘッドは、一部のワイヤレスシステムにおいて特に問題となる可能性がある。例えば、音声および/またはテレビ電話中などに第2のデバイスが第1のデバイスに情報の連続的なストリームを送信するとき、消失した情報を復旧することに関連する遅延およびオーバーヘッドが、呼のデータレートの深刻な低下を引き起こす可能性がある。したがって、データの送信および受信の中断から復旧するための改善されたシステム、方法、およびデバイスが望まれている。
【課題を解決するための手段】
【０００９】
添付の請求項の範囲内のシステム、方法、およびデバイスのさまざまな実装は、それぞれいくつかの態様を有し、それらの態様のどれ1つとして、本明細書において説明される望ましい属性を単独で担わない。添付の請求項の範囲を限定することなく、いくつかの顕著な特徴が本明細書において説明される。その他の特徴、態様、および利点は、それらの説明、図面、および請求項から明らかになるであろう。
【００１０】
本開示の1つの態様は、ワイヤレスネットワークで通信するための装置を提供する。装置は、送り手からユーザデータを受信し、中断が原因で送り手からのユーザデータの受信を停止するように構成されたプロセッサを含む。プロセッサは、中断から復帰すると、中断前の少なくとも最後の受信されたユーザデータを特定するステータス情報を送り手に送信するように構成される。一部の態様において、ステータス情報は、中断が原因である消失したデータの識別情報をさらに含む。
【００１１】
本開示の別の態様は、ワイヤレスネットワークで通信する方法を提供する。方法は、送り手からユーザデータを受信するステップと、中断が原因で送り手からのユーザデータの受信を停止するステップとを含む。方法は、中断から復帰すると、中断前の少なくとも最後の受信されたユーザデータを特定するステータス情報を送り手に送信するステップを含む。一部の態様において、ステータス情報は、中断が原因である消失したデータの識別情報をさらに含む。
【００１２】
本開示の別の態様は、コンピュータ可読媒体を提供する。コンピュータ可読媒体は、実行されるときに装置に送り手からユーザデータを無線で受信させ、中断が原因で送り手からのユーザデータの受信を停止させる命令を含む。コンピュータ可読媒体は、実行されるときに装置に、中断から復帰すると、中断前の少なくとも最後の受信されたユーザデータを特定するステータス情報を送り手に無線で送信させる命令を含む。一部の態様において、ステータス情報は、中断が原因である消失したユーザデータの識別情報をさらに含む。
【００１３】
本開示の別の態様は、ワイヤレスネットワークで通信するための装置を提供する。装置は、送り手からユーザデータを受信するための手段と、受信する手段が中断が原因で送り手からのユーザデータの受信を停止したかどうかを判定するための手段とを含む。装置は、中断から復帰すると、中断前の少なくとも最後の受信されたユーザデータを特定するステータス情報を送り手に送信するための手段とを含む。一部の態様において、ステータス情報は、中断が原因である消失したユーザデータの識別情報をさらに含む。
【図面の簡単な説明】
【００１４】
【図１】本開示の態様が使用され得るワイヤレス通信ネットワークの例を示す図である。
【図２】図1のワイヤレス通信ネットワークの特定の通信エンティティの機能ブロック図の例を示す図である。
【図３】図1のワイヤレス通信ネットワーク内で使用され得るワイヤレスデバイスの機能ブロック図の例を示す図である。
【図４】図1のワイヤレス通信ネットワーク内で使用され得るダウンリンクのための復旧の例を示す図である。
【図５】図1のワイヤレス通信ネットワーク内で使用され得るダウンリンクのための改善された復旧の例を示す図である。
【図６】図1のワイヤレス通信ネットワーク内で使用され得るダウンリンクのための改善された復旧の別の例を示す図である。
【図７】図1のワイヤレス通信ネットワーク内で使用され得るプロトコルスタックの例を示す図である。
【図８】ダウンリンクのための改善された復旧のための方法の態様を示す図である。
【図９】図1のワイヤレス通信ネットワーク内で使用され得る別の例示的なワイヤレスデバイスの機能ブロック図である。
【図１０】図1のワイヤレス通信ネットワーク内で使用され得るさらに別の例示的なワイヤレスデバイスの機能ブロック図である。
【発明を実施するための形態】
【００１５】
通常の慣行にしたがって、図面に示されるさまざまな特徴は、正確な縮尺で描かれていない可能性がある。したがって、さまざまな特徴の寸法は、明確にするために任意に広げられるかまたは縮められる可能性がある。加えて、図面の一部は、所与のシステム、方法、またはデバイスの構成要素のすべてを示さない可能性がある。最後に、同様の参照番号が、明細書および図面全体を通じて同様の特徴を表すために使用される可能性がある。
【００１６】
新規性のあるシステム、装置、および方法のさまざまな態様が、添付の図面を参照して以降でより十分に説明される。しかし、教示の開示は、多くの異なる形態で実施される可能性があり、本開示全体を通じて示されるいかなる特定の構造または機能にも限定されると解釈されるべきでない。むしろ、これらの態様は、本開示が十分かつ完全であり、当業者に本開示の範囲を完全に伝えるように提供される。本明細書の教示に基づいて、当業者は、本開示の範囲が、本明細書において開示される新規性のあるシステム、装置、および方法のあらゆる態様を、本発明のどのその他の態様とも無関係に実装されるか、または本発明のいずれかのその他の態様と組み合わせられるかに関わらず包含するように意図されることを理解するに違いない。例えば、本明細書において説明される任意の数の態様を使用して装置が実装される可能性があり、または方法が実施される可能性がある。加えて、本発明の範囲は、本明細書において説明される本発明のさまざまな態様に加えて、または本明細書において説明される本発明のさまざまな態様以外のその他の構造、機能、または構造および機能を使用して実施されるそのような装置または方法を包含するように意図される。本明細書において開示される任意の態様は請求項の1つまたは複数の要素によって具現化される可能性があることを理解されたい。
【００１７】
特定の態様が本明細書において説明されるが、これらの態様の多くの変形形態および変更形態が本開示の範囲に入る。好ましい態様のいくつかの恩恵および利点に言及されるが、本開示の範囲は、特定の恩恵、用途、または目的に限定されるように意図されていない。むしろ、本開示の態様は、異なるワイヤレステクノロジー、システム構成、ネットワーク、および伝送プロトコルに広く適用可能であるように意図されており、それらのワイヤレステクノロジー、システム構成、ネットワーク、および伝送プロトコルの一部が、好ましい態様の図面および以下の説明に例として示される。詳細な説明および図面は、限定するのではなく本開示を例示するに過ぎず、本開示の範囲は、添付の特許請求の範囲およびそれらの均等物によって定義される。
【００１８】
語「例示的な」は、本明細書においては「例、具体例、または事例としての役割を果たす」ことを表すために使用される。本明細書において「例示的」と記載されたいずれの実装も、必ずしもその他の実装よりも好ましいかまたは有利であると解釈されるべきでない。以下の説明は、当業者が本発明を実施し、使用することを可能にするために提示される。詳細は、説明を目的として以下の説明に示される。当業者は、本発明がこれらの特定の詳細を使用することなく実施され得ることを認めることを理解されたい。その他の場合、よく知られている構造およびプロセスは、不必要な詳細によって本発明の説明を曖昧にしないために詳しく説明されない。したがって、本発明は、示される実装によって限定されるように意図されておらず、本明細書において開示される原理および特徴に合致する最も広い範囲を与えられるべきである。
【００１９】
本明細書において説明される技法は、符号分割多元接続(CDMA)ネットワーク、時分割多元接続(TDMA)ネットワーク、周波数分割多元接続(FDMA)ネットワーク、直交FDMA (OFDMA)ネットワーク、シングルキャリアFDMA (SC-FDMA)ネットワークなどのさまざまなワイヤレス通信ネットワークのために使用され得る。用語「ネットワーク」および「システム」は、多くの場合、交換可能なように使用される。CDMAネットワークは、ユニバーサル地上無線アクセス(UTRA)、cdma2000などの無線テクノロジーを実装することができる。UTRAは、広帯域CDMA (W-CDMA)および低チップレート(LCR)を含む。cdma2000は、IS-2000、IS-95、およびIS-856規格を包含する。TDMAネットワークは、移動体通信用グローバルシステム(GSM)などの無線テクノロジーを実装することができる。OFDMAネットワークは、進化型UTRA (E-UTRA)、IEEE 802.11、IEEE 802.16、IEEE 802.20、Flash-OFDMなどの無線テクノロジーを実装することができる。UTRA、E-UTRA、およびGSMは、ユニバーサル移動体通信システム(UMTS)の一部である。ロングタームエボリューション(LTE)は、E-UTRAを使用するUMTSのリリースである。UTRA、E-UTRA、GSM、UMTS、およびLTEは、「第3世代パートナーシッププロジェクト」(3GPP)と名付けられた組織からの文書に記載されている。cdma2000は、「第3世代パートナーシッププロジェクト2」(3GPP2)と名付けられた組織からの文書に記載されている。これらのさまざまな無線テクノロジーおよび規格は当技術分野において知られている。
【００２０】
単一のキャリアの変調および周波数領域の等化を利用するシングルキャリア周波数分割多元接続(SC-GDMA)は、ワイヤレス通信システムで使用される1つの技法である。SC-FDMAは、OFDMAシステムの性能と同様の性能と、本質的に同じ全体の複雑性とを有する。SC-FDMA信号は、その信号の固有の単一キャリア構造のために比較的低いピーク対平均電力比(PAPR)を有する。SC-FDMAは、特に、比較的低いPAPRが送信電力の効率の点でモバイル端末に大きな恩恵をもたらすアップリンクの通信で大きな関心を集めてきた。SC-FDMAは、現在、3GPP  ロングタームエボリューション(LTE)または進化型UTRAのアップリンクの多元接続方式に関する実用的な前提である。
【００２１】
さらに、以下の説明においては、簡潔で明瞭にするために、UMTSシステムに関連する用語が使用される。本発明は、LTE Advanced、LTE、W-CDMA、TDMA、OFDMA、高レートパケットデータ(HRPD)、進化型高レートパケットデータ(eHRPD)、マイクロ波アクセスのための世界的相互運用性(WiMax: Worldwide Interoperability for Microwave Access)、GSM、GSMの進化のための高速化されたデータレート(EDGE: enhanced data rate for GSM evolution)などに関連するテクノロジーおよび関連する規格などのその他のテクノロジーに適用することができる可能性もあることが強調されるべきである。異なるテクノロジーに関連する用語は、変わり得る。例えば、考慮されるテクノロジーに応じて、UMTSで使用されるユーザ機器(UE)は、ほんのいくつか例を挙げるとすれば、移動局、ユーザ端末、加入者ユニット、アクセス端末などと呼ばれることがある可能性がある。同様に、UMTSで使用されるNodeBは、進化型NodeB (eNodeB)、アクセスノード、アクセスポイント、基地局(BS)、HRPD基地局(BTS)などと呼ばれることがある可能性がある。異なる用語は適用可能であるとき異なるテクノロジーに当てはまることに留意されたい。
【００２２】
図1は、本開示の態様が使用され得るワイヤレス通信ネットワークまたはシステム100の例を示す。ワイヤレス通信ネットワーク100は、ワイヤレス規格、例えば、LTE Advanced規格、LTE規格、WiMax規格、GSM規格、EDGE規格、802.11ah規格、WiFi Advanced-N規格などに準じて動作する可能性がある。ワイヤレス通信システム100は、局(STA) 106と通信するアクセスポイント(AP) 104を含み得る。
【００２３】
アクセスポイント(「AP」)は、NodeB、無線ネットワークコントローラ(「RNC」)、eNodeB、基地局コントローラ(BSC)、ベーストランシーバステーション(BTS)、基地局(BS)、トランシーバ機能(TF)、無線ルータ、無線トランシーバ、または何らかのその他の用語を含むか、それらとして実装されるか、またはそれらとして知られている可能性がある。
【００２４】
局STAは、アクセス端末(AT)、加入者局、加入者ユニット、移動局、遠隔局、遠隔端末、ユーザ端末、ユーザエージェント、ユーザデバイス、ユーザ機器(UE)、または何らかのその他の用語を含むか、それらとして実装されるか、またはそれらとして知られている可能性がある。一部の実装において、アクセス端末は、セルラ電話、コードレス電話、セッション開始プロトコル(SIP)電話、無線ローカルループ(「WLL」)局、携帯情報端末(PDA)、無線接続能力を有するハンドヘルドデバイス、または無線モデムに接続された何らかのその他の好適な処理デバイスを含む可能性がある。したがって、本明細書において開示される1つまたは複数の態様は、電話(例えば、セルラ電話またはスマートフォン)、コンピュータ(例えば、ラップトップ)、可搬型通信デバイス、ヘッドセット、可搬型コンピューティングデバイス(例えば、携帯情報端末)、エンターテインメントデバイス(例えば、音楽もしくは映像デバイス、または衛星ラジオ)、ゲーム機またはシステム、ワイヤレスセンサーデバイス、全地球測位システムデバイス、あるいはワイヤレス媒体を介して通信するように構成される任意のその他の好適なデバイスに組み込まれる可能性がある。
【００２５】
さまざまなプロセスおよび方法は、AP 104とSTA 106との間のワイヤレス通信システム100における送信のために使用され得る。例えば、信号が、AP 104とSTA 106との間でOFDM/OFDMA技術によって送受信される可能性がある。この場合、ワイヤレス通信システム100は、OFDM/OFDMAシステムと呼ばれる可能性がある。代替的に、信号は、AP 104とSTA 106との間でW-CDMAまたはCDMA技術によって送受信される可能性がある。この場合、ワイヤレス通信システム100は、W-CDMAまたはCDMAシステムと呼ばれる可能性がある。
【００２６】
AP 104からSTA 106のうちの1つまたは複数への送信を容易にする通信リンクは、ダウンリンク(DL)と呼ばれる可能性があり、STA 106のうちの1つまたは複数からAP 104への送信を容易にする通信リンクは、アップリンク(DL)と呼ばれる可能性がある。代替的に、ダウンリンクは、順方向リンクまたは順方向チャネルと呼ばれる可能性があり、アップリンクは、逆方向リンクまたは逆方向チャネルと呼ばれる可能性がある。
【００２７】
AP 104は、基地局として働く可能性があり、基本サービスエリア(BSA) 102内のワイヤレス通信カバレッジを提供する。考慮されるテクノロジーに応じて、BSAは、カバーエリア、セルなどと呼ばれることがある可能性がある。AP 104は、AP 104に関連し、通信のためにAP 104を使用するSTA 106とともに、基本サービスセット(BSS)と呼ばれる可能性がある。ワイヤレス通信システム100は、集中型のAP 104を持たない可能性があり、むしろ、STA 106間のピアツーピアネットワークとして機能する可能性があることに留意されたい。したがって、本明細書において説明されるAP 104の機能は、代替的にSTA 106のうちの1つまたは複数によって実行される可能性がある。
【００２８】
図2は、図1のワイヤレス通信ネットワークの特定の通信エンティティのシステム200の機能ブロック図の例を示す。図2に示された構成要素は、マルチモードまたはマルチバンドデバイスが、モバイルデバイスが現在動作している位置のネットワークの構成に応じて複数の無線アクセステクノロジー(RAT)、例えば、eHRPDネットワーク、LTEネットワークなどを使用して通信し得るシステムを示す。図2が示すように、システム200は、LTE無線アクセステクノロジーを使用してUE 206とeNodeB 208a (例えば、NodeB、基地局、アクセスポイントなど)との間のワイヤレス無線通信を提供する無線アクセスネットワークRANを含み得る。また、システムは、eHRPD無線アクセステクノロジーを使用してUE 206とHRPDベーストランシーバステーション(BTS) 208b (例えば、NodeB、基地局、アクセスポイントなど)との間のワイヤレス無線通信を提供するRANを示す。解説を簡単にするために、図2は、UE 206と、あるRANの1つのeNodeB 208aと、別のRANの1つのHRPD BTS 208bとを示すが、それぞれのRANは任意の数のUEおよび/またはeNodeB/HRPD BTSを含み得ることを理解されたい。加えて、UTRA、GSM、EDGEなどの追加のRANが含まれる可能性があることを理解されたい。
【００２９】
一態様によれば、eNodeB 208aおよびHRPD BTS 208bは、順方向リンクまたはダウンリンクチャネルを介してUE 206に情報を送信することができ、UE 206は、逆方向リンクまたはアップリンクチャネルを介してeNodeB 208aおよびHRPD BTS 209bに情報を送信することができる。示されるように、RANは、LTE、LTE Advanced、HSPA、CDMA、HRPD、eHRPD、CDMA2000、GSM、GPRS、EDGE、UMTSなどであるがこれらに限定されない任意の好適な種類の無線アクセステクノロジーを利用する可能性がある。
【００３０】
RANと、特にeNodeB 208aおよびHRPD BTS 208bとは、課金(例えば、サービスの使用料など)、セキュリティ(例えば、暗号化および完全性の保護)、加入者管理、モビリティ管理、ベアラ管理、QoSの処理、データフローのポリシー制御、ならびに/または外部ネットワークとの相互接続を可能にするコアネットワークと通信することができる。RANおよびコアネットワークは、例えば、S1インターフェースを介して通信することができる。コアネットワークは、RANからの制御シグナリングのエンドポイントである可能性があるモビリティ管理エンティティ(MME) 216を含み得る。MME 216は、モビリティ管理(例えば、追跡)、認証、およびセキュリティなどの機能を提供することができる。MME 216は、S1インターフェースを介してRANと通信することができる。また、コアネットワークは、コアネットワークをLTE RANに接続するユーザプレーンノードであるサービングゲートウェイ(S-GW) 210を含み得る。コアネットワークは、コアネットワークをeHRPD RANに接続するHRPDサービングゲートウェイ(HSGW) 214も含み得る。また、eHRPD RANは、HRPD BTS 208bとHSGW 214との間のパケットの中継を管理する進化型アクセスノード(eAN)および進化型パケット制御機能(ePCF)エンティティ212を含む。
【００３１】
一態様において、MME 216は、S11インターフェースを介してS-GW 210またはeAN/ePCF 212と通信することができる。さらに、HSGW 214およびS-GW 210は、eHRPDネットワークとEPCとの間の相互運用性を高めるために通信することができる。別の態様において、MME 216およびS-GW 210は、RANから生じるおよび/またはRANで終わるユーザおよび制御シグナリングの単一のエンドポイントを提供するための単一のノードとして構成される可能性がある。ネットワークは、ポリシーおよび課金規則機能(PCRF) 230も含み得る。PCRF 230は、S-GW 210、HSGW 214、PDN GW 218、およびコアネットワークと通信することができる。
【００３２】
コアネットワークは、コアネットワーク(およびRAN)と外部ネットワークとの間の通信を容易にするパケットデータネットワーク(PDN)ゲートウェイ(GW) 218も含み得る。PDN GW 218は、パケットのフィルタリング、QoSの規制、課金、IPアドレスの割り当て、および外部ネットワークへのトラフィックのルーティングを提供することができる。一例において、S-GW 210およびPDN GW 218は、S5インターフェースを介して通信することができる。図2においては別々のノードとして示されたが、S-GW 210およびPDN GW 218は、例えば、コアネットワークのユーザプレーンノードを削減するために単一のネットワークノードとして動作するように構成され得ることを理解されたい。一態様において、コアネットワークは、互いに通信し、さらに、PDN GW 218およびHSGW 214とそれぞれ通信することができる3GPP認証、認可、およびアカウンティング(AAA)サーバ/プロキシ234および3GPP2 AAAサーバ/プロキシ236も含み得る。コアネットワークは、MME 216および3GPP AAAサーバ/プロキシ234と通信することができるホーム加入者サービス(HSS)エンティティ232も含み得る。
【００３３】
コアネットワークは、PDN GW 218を介して外部ネットワークと通信することができる。図示されていない外部ネットワークは、公衆交換電話網(PSTN)、IPマルチメディアサブシステム(IMS)、および/またはIPネットワークなどであるがこれらに限定されないネットワークを含み得る。IPネットワークは、インターネット、ローカルエリアネットワーク、広域ネットワーク、イントラネットなどである可能性がある。図2に示された構成は、ほんの1つのあり得る構成の例であり、多くのその他の構成および追加の構成要素が、以下で説明されるさまざまな態様および実装にしたがって使用される可能性があることを理解されたい。
【００３４】
図3は、図1のワイヤレス通信ネットワーク内で使用され得るワイヤレスデバイスの機能ブロック図の例を示す。ワイヤレスデバイス302は、本明細書において説明されるさまざまな方法を実施するように構成され得るデバイスの例である。例えば、ワイヤレスデバイス302は、STA、UE、AT、加入者局、加入者ユニット、移動局、遠隔局、遠隔端末、ユーザ端末、ユーザエージェント、ユーザデバイスなどを含み得る。別の例として、ワイヤレスデバイス302は、LTE、LTE Advanced、HSPA、CDMA、HRPD、eHRPD、CDMA2000、GSM、GPRS、EDGE、UMTSなどを使用するなど、異なる無線アクセステクノロジー(RAT)を使用して動作することができるマルチモードまたはマルチバンドデバイスである可能性がある。
【００３５】
ワイヤレスデバイス302は、ワイヤレスデバイス302の動作を制御するプロセッサ304を含み得る。プロセッサ304は、中央演算処理装置(CPU)と呼ばれる可能性がある。読み出し専用メモリ(ROM)とランダムアクセスメモリ(RAM)との両方を含む可能性があるメモリ306が、プロセッサ304に命令およびデータを与える。メモリ306の一部は、不揮発性ランダムアクセスメモリ(NVRAM)を含む可能性もある。通常、プロセッサ304は、メモリ306内に記憶されたプログラム命令に基づいて論理演算および算術演算を実行する。メモリ306内の命令は、本明細書において説明される方法を実施するために実行可能である可能性がある。
【００３６】
メモリ306内のデータは、構成データを含む可能性がある。構成データは、メモリ306に予めロードされ得る。構成データは、(例えば、インターフェース322、SIMカード、ダウンロード、無線によって)ワイヤレスデバイス302のユーザから取得され得る。プロセッサ304は、構成データにさらに基づいて論理演算および算術演算を実行する可能性がある。
【００３７】
一部の態様において、プロセッサ304は、ワイヤレスデバイス302が例えば受信機312を使用して送り手(例えば、AP 104、STA 106など)からユーザデータを受信したかどうかを判定するように構成される。ユーザデータは、トラフィックデータ、ペイロードデータ、通話データ、ビデオデータ、マルチメディアデータ、電子メールデータなどを含み得る。一部の態様において、プロセッサ304は、ワイヤレスデバイス302が通信チャネルの中断などの中断、ユーザデータを受信するために構成されたチャネル以外のチャネルの監視などが原因で送り手からユーザデータを受信することを止めたかどうかを判定するようにさらに構成される。中断から復帰すると、プロセッサ304は、中断前の少なくとも最後の受信されたユーザデータを特定するステータス情報を生成するように構成され得る。一部の態様において、ステータス情報は、中断が原因である消失したデータをさらに特定する。生成されたステータス情報は、送信機310によって送り手に送信され得る。
【００３８】
プロセッサ304は、1つまたは複数のプロセッサによって実装される処理システムの構成要素を含むか、またはそのような構成要素である可能性がある。1つまたは複数のプロセッサは、汎用マイクロプロセッサ、マイクロコントローラ、デジタル信号プロセッサ(DSP)、フィールドプログラマブルゲートアレイ(FPGA)、プログラマブルロジックデバイス(PLD)、コントローラ、状態機械、ゲート論理(gated logic)、別個のハードウェア構成要素、専用ハードウェア有限状態機械、または計算もしくはその他の情報の操作を実行することができる任意のその他の好適なエンティティの任意の組み合わせで実装され得る。
【００３９】
処理システムは、ソフトウェアを記憶するための機械可読媒体をやはり含む可能性がある。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、またはその他の呼び方をされるかにかかわらず任意の種類の命令を意味するように広く解釈されなければならない。命令は、(例えば、ソースコードの形式、2進符号の形式、実行可能コードの形式、または任意のその他の好適なコードの形式の)コードを含み得る。命令は、1つまたは複数のプロセッサによって実行されるとき、処理システムに本明細書において説明されるさまざまな機能を実行させる。
【００４０】
ワイヤレスデバイス302は、ワイヤレスデバイス302と遠隔の場所との間のデータの送受信を可能にするための送信機310および/または受信機312を含むハウジング308も含み得る。上で言及されたように、送信機310は、ステータス情報を無線で送信するように構成され得る。さらに、受信機312は、ユーザデータを無線で受信するように構成され得る。送信機310および受信機312は、トランシーバ314へと組み合わされる可能性がある。アンテナ316が、ハウジング308に取り付けられ、トランシーバ314に電気的に結合される可能性がある。ワイヤレスデバイス302は、(図示されていない)複数の送信機、複数の受信機、複数のトランシーバ、および/または複数のアンテナを含む可能性もある。
【００４１】
ワイヤレスデバイス302は、トランシーバ314によって受信された信号のレベルを検出し、定量化するために使用され得る信号検出器318も含み得る。信号検出器318は、総エネルギー、シンボル毎のサブキャリア毎のエネルギー、電力スペクトル密度、およびその他の信号のような信号を検出する可能性がある。ワイヤレスデバイス302は、信号を処理する際に使用するためのデジタル信号プロセッサ(DSP) 320も含み得る。DSP 320は、送信するためのパケットを生成し、および/または受信されたパケットを処理するように構成され得る。
【００４２】
一部の態様において、ワイヤレスデバイス302は、ユーザインターフェース322をさらに含む可能性がある。ユーザインターフェース322は、キーパッド、マイクロホン、スピーカー、および/またはディスプレイを含む可能性がある。ユーザインターフェース322は、ワイヤレスデバイス302のユーザに情報を伝え、および/またはユーザから入力を受け取る任意の要素または構成要素を含む可能性がある。
【００４３】
ワイヤレスデバイス202のさまざまな構成要素は、バスシステム326によって一緒に結合される可能性がある。バスシステム326は、例えば、データバスと、データバス以外の電力バス、制御信号バス、およびステータス信号バスとを含む可能性がある。当業者は、ワイヤレスデバイス302の構成要素が一緒に結合されるか、または何らかのその他のメカニズムを使用して互いに入力を受け入れるかもしくは与える可能性があることを理解するであろう。
【００４４】
いくつかの別々の構成要素が図3に示されているが、当業者は、構成要素のうちの1つまたは複数が組み合わされるか、または共通して実装される可能性があることを認めるであろう。例えば、プロセッサ304は、プロセッサ304に関して上で説明された機能を実装するだけでなく、信号検出器318および/またはDSP 320に関して上で説明された機能も実装するために使用される可能性がある。さらに、図3に示された構成要素のそれぞれは、複数の別々の要素を使用して実装される可能性がある。例えば、プロセッサ304およびメモリ306は、単一のチップに具現化される可能性がある。プロセッサ304は、追加的または代替的に、プロセッサレジスタなどのメモリを含む可能性がある。同様に、機能ブロックのうちの1つもしくは複数またはさまざまなブロックの機能の一部が、単一のチップで具現化される可能性がある。代替的に、特定のブロックの機能が、2つ以上のチップで実装される可能性がある。
【００４５】
本明細書および添付の特許請求の範囲において、用語「回路」は、機能の用語としてではなく構造の用語として解釈されることは明白であるに違いない。例えば、回路は、図3に図示され、説明されたような処理および/またはメモリセル、ユニット、ブロックなどの形態の多数の集積回路構成要素などの回路構成要素の集まりである可能性がある。ワイヤレスデバイス302に関して説明された機能ブロックのうちの1つもしくは複数および/または機能ブロックの1つもしくは複数の組み合わせは、コンピューティングデバイスの組み合わせ、例えば、DSPとマイクロプロセッサとの組み合わせ、複数のマイクロプロセッサ、DSP通信と連携する1つもしくは複数のマイクロプロセッサ、または任意のその他のそのような構成として実装される可能性もある。
【００４６】
図4は、図1のワイヤレス通信ネットワーク内で使用され得るダウンリンクの復旧400の例を示す。図4に示された送り手エンティティは、AP、NodeB、STA、UEなどである可能性がある。受信機は、例えば、ワイヤレスデバイス302を含み得る。一態様においては、図4に示されるように、送り手および受け手は、順番通りにまたは時間的順序で伝達されているように示されているメッセージを交換する。メッセージは、ユーザデータおよび/またはステータス情報を含み得る。ユーザデータは、ペイロードデータ、通話データ、ビデオデータ、マルチメディアデータ、電子メールデータなどを含み得る。一部の態様において、ステータス情報は、受け手が送り手によって送信されたユーザデータを正常に受信したことを示す1つの肯定応答(ACK)または複数の肯定応答(ACK)を含む。一部の態様において、ステータス情報は、受け手が送り手によって送信されたユーザデータを受信しなかったことを示す1つの否定応答(NACK)または複数の否定応答(NACK)をやはり含む。肯定応答および/または否定応答を送信する動作は、ユーザデータが正常に受信された稼働か、またはユーザデータが再送信される必要があるかどうかを送り手に知らせることができる。
【００４７】
一態様において、ユーザデータは、複数のデータパケット、例えば、3GPP TS 25.322: Radio Link Control (RLC) protocol specification (Release 7)にさらに示されているデータプロトコルデータユニット(PDU)として送信される。各データパケットは、一意である可能性がある連番(SN)などの識別番号を含み得る。図4に示されるように、送り手は、受け手にデータPDU 402 (例えば、SN = 0を有する402a、SN = 1を有する402b、およびSN = 2を有する402c)を送信する。このユーザデータは、正常に受信される。次に、送り手は、受け手にデータPDU 404 (例えば、SN = 3を有する404a、SN = 4を有する404b、およびSN = 5を有する404c)を送信する。しかし、中断408として示される期間中、受け手は、送り手によって送信されたデータを受信しない中断に見舞われる。中断は、さまざまな原因に起因する可能性がある。例えば、中断は、ワイヤレスチャネルのフェージングに起因する可能性があり、ページングチャネル(例えば、Paging Channel (PCH))の監視など、ユーザデータを受信するように構成されたチャネル以外のチャネルの監視に起因する可能性がある。したがって、受け手は、ユーザデータPDU 404を受信しない。加えて、受け手は、(SN = 6を有する)データ  PDU 406を受信しない。一態様において、PDU 406は、ステータス情報の要求を示す(設定またはアサートされたポーリングフラグPとして示される)ポーリング要求を含む。そのような要求に応答して、受け手は、どのPDUが受信されたか、および/またはどのPDUが見つからないもしくは消失した(例えば、受信されなかった)のかを示す情報を送り手に送信することができる。
【００４８】
送り手は、ポーリング要求をやはり含み得る(SN = 7を有する)次のデータPDU 410を送信する可能性がある。ポーリング要求を受信することに応じて、受け手は、ステータス情報を生成し、送信することができる。一態様において、ステータス情報412は、見つからないまたは消失したユーザデータとともに、受信されたユーザデータの識別情報を含む可能性がある。ステータス情報は、3GPP TS 25.322: Radio Link Control (RLC) protocol specification (Release 7)にさらに示されているステータスプロトコルデータユニット(STATUS PDU)として送信され得る。一態様において、STATUS PDUは、どのデータPDUが受信されたか、およびどれが見つからないものとして検出されたかについての情報を含むSuper-Field (SUFI)リストを含む。示されるように、STATUS PDU 412は、PDU 410  に先立つPDU 404a〜404cおよび406 (例えば、連番3から6までのPDU)が送信中に消失したことを示すNACKフィールド(NACK SN = 3, L = 3)を含む。STATUS PDU 412は、(SN = 7を有する) PDU 410が正しく受信されたことを示すACKフィールド(ACK LSN = 8)も含む。一態様において、NACKフィールドは、最初の消失したPDUに続く連続するPDUの総数に対応する数とともに、一連の消失したPDUのうちの最初の消失したPDUの連番に関連する情報を含む。ACKフィールドは、最後の受信されたPDUの最後の連番(LSN) + 1などの、最後の受信されたPDUの連番に関連する情報を含む。
【００４９】
ステータス情報412は、PDU 404a、404b、404c、および406が消失したことを送り手に知らせる。一部の態様において、送り手は、414 (414a、414b、414c、および414d)によって示される消失したPDUを再送信する。特に、確認応答モード(AM: Acknowledged Mode)の送信が利用されるとき、送り手は、受け手によって受信されたと肯定応答されなかったPDUを含む再送信バッファを保有する可能性がある。送り手は、データの信頼性の高い配信を保証し得るスライディングウィンドウプロトコルを使用する可能性もある。スライディングウィンドウプロトコルは、先立つユーザデータが正常に受信されたという肯定応答を送り手が受信するまで後続のユーザデータが受け手に送信されないように構成される可能性がある。
【００５０】
場合によっては、データの消失から復旧するためにポーリングを利用することは、ワイヤレス通信ネットワーク100に有害な遅延およびオーバーヘッドをもたらす。例えば、図4に示されるように、受け手は、送り手からポーリング要求を受信することに応じてステータス情報を生成し、送信する。これは、消失したデータの再送信に不必要な遅延を生じる可能性がある。場合によっては、送り手は、音声通話に関連するユーザデータなどのユーザデータの連続するストリームを送信している可能性があり、ポーリングに対応する遅延は、音声通話の品質を低下させる(例えば、会話の長い遅延をもたらすこと、エコーをもたらすことなど)結果となる可能性がある。加えて、ポーリング要求は、中断408の後に送り手によって送信される第1の(または第2、第3などの) PDUに含まれない可能性があることを理解されたい。これは、消失したデータの再送信に関連する遅延をさらに長くする可能性がある。
【００５１】
特定の状況において、408によって示される中断などの中断は、周期的に繰り返している可能性がある。例えば、受け手は、複数のチャネルを監視する可能性があり、それら複数の中のチャネルの一部は、ユーザデータを送信するように構成されない可能性がある。そのようなチャネルは、ワイヤレスデバイスに着呼を知らせるように構成されるページングチャネル(PCH)、セルに固有およびネットワークに固有の情報を送信するように構成されるブロードキャストチャネル(BCH)、マルチキャストおよびブロードキャスト情報を送信するように構成されるマルチキャストチャネル(MCH)、制御情報を送信するように構成される順方向アクセスチャネル(FACH)などを含み得る。例えば、ワイヤレスデバイスは、約15フレーム毎などで着呼に関してPCHを周期的に監視する可能性があり、これは、約150ms毎に監視することに対応する可能性がある。したがって、消失したデータを復旧するためにポーリングを利用することに関連する遅延およびオーバーヘッドは、呼のデータレートの深刻な低下を引き起こす可能性がある。
【００５２】
一部の態様において、ポーリングに関連する遅延およびオーバーヘッドは、中断からの復帰後にステータス情報を生成し、送信するように受け手を構成することによって削減および/または除去される可能性がある。受け手は、中断から復帰すると直ちにステータス情報を生成し、送信するように構成され得る。加えて、受け手は、送り手からポーリング要求を受信することと無関係にステータス情報を自動的に生成し、送信するように構成され得る。ステータス情報は、中断前の少なくとも最後の受信されたユーザデータを特定することができる。一部の態様において、ステータス情報は、中断が原因である消失したデータをさらに特定する。
【００５３】
図5は、図1のワイヤレス通信ネットワーク内で使用され得るダウンリンクの改善された復旧500の例を示す。送り手は、受け手にデータPDU 502 (例えば、SN = 0を有する502a、SN = 1を有する502b、およびSN = 2を有する502c)を送信する。このユーザデータは、正常に受信される。次に、送り手は、受け手にデータPDU 504 (例えば、SN = 3を有する504a、SN = 4を有する504b、およびSN = 5を有する504c)を送信する。しかし、中断508として示される期間中、受け手は、送り手によって送信されたデータを受信しない中断に見舞われる。上で説明されたように、中断は、さまざまな原因に起因する可能性がある。加えて、受け手は、(SN = 6を有する)データ  PDU 506を受信しない。一態様において、PDU 506は、ステータス情報の要求を示す(設定またはアサートされたポーリングフラグPとして示される)ポーリング要求を含む。その他の態様においては、PDU 506はポーリング要求を含まない可能性があることを理解されたい。
【００５４】
一部の態様において、送り手は、中断508から復帰するとステータス情報を生成し、送信する。ステータス情報510は、中断508の前に受信されたユーザデータの識別情報を含み得る。ステータス情報は、上で説明されたようにSTATUS PDUとして送信され得る。STATUS PDUは、どのデータPDUが受信されたか、およびどれが見つからないものとして検出されたかについての情報を含むSUFIリストを含む可能性がある。示されるように、STATUS PDU 510は、受け手が連番0から2までを有するデータPDUを正常に受信したことを示す肯定応答フィールド(ACK LSN = 3)を含む。ステータス情報510を受信すると、送り手は、連番3から6までを有するPDUが消失し、受け手によって受信されなかったと判定することができる。結果として、送り手は、消失したデータを再送信することができる。
【００５５】
PDU 512によって示されるように、送り手は、(SN = 6を有する)PDU 506を最初に再送信することができる。一態様によれば、PDU 512は、ポーリング要素を含み得る。別の態様においては、PDU 512は、任意の連番(例えば、SN = 10、15、20など)を有するユーザデータを含む可能性があり、ポーリング要求を含まない可能性がある。PDU 512を受信することに応じて、受け手は、例えば、STATUS PDU 514の形式でステータス情報を生成し、送信することができる。一態様において、STATUS PDU 514は、どのデータPDUが受信されたか、およびどれが見つからないものとして検出されるかについての情報を含むSuper-Field (SUFI)リストを含む。示されるように、STATUS PDU 514は、PDU 504a〜504c (例えば、連番3から5までを有するPDU)が送信中に消失したことを示すNACKフィールド(NACK SN = 3, L = 2)を含む。STATUS PDU 514は、(SN = 6を有する) PDU 512が正しく受信されたことを示すACKフィールド(ACK LSN = 7)も含む。送り手は、消失したPDU 516 (516a、516b、および516c)を再送信することができる。スライディングウィンドウプロトコルを用いるAMの送信が利用されるとき、送り手は、送信ウィンドウを前にずらし、ユーザデータの次のバッチを含むPDU 518 (SN = 7)を送信することができる。
【００５６】
一部の態様において、送り手は、ステータス情報510を受信した後直ちに、消失したデータPDU 504を送信することを理解すべきである。言い換えると、送り手は、PDU 512を送信する前に、またはPDU 512を送信するとともに、消失したデータPDU 504を送信する可能性がある。消失したデータは、任意の順序で再送信され得る。加えて、PDU 512がポーリング要求を含まない可能性があるので、受け手は、ポーリング要求を受信することと無関係にステータス情報を生成し、送信するように構成され得る。
【００５７】
図6は、図1のワイヤレス通信ネットワーク内で使用され得るダウンリンクの改善された復旧600の別の例を示す。送り手は、受け手にデータPDU 602 (例えば、SN = 0を有する602a、SN = 1を有する602b、およびSN = 2を有する602c)を送信する。PDU 602aおよび602cは正常に受信されるが、PDU 602bは受信されない(例えば、破棄される)。次に、送り手は、受け手にデータPDU 604 (例えば、SN = 3を有する604a、SN = 4を有する604b、およびSN = 5を有する604c)を送信する。しかし、中断608として示される期間中、受け手は、送り手によって送信されたデータを受信しない中断に見舞われる。上で説明されたように、中断は、さまざまな原因に起因する可能性がある。加えて、受け手は、(SN = 6を有する)データ  PDU 606を受信しない。一態様において、PDU 606は、ステータス情報の要求を示す(設定またはアサートされたポーリングフラグPとして示される)ポーリング要求を含む。その他の態様においては、PDU 606はポーリング要求を含まない可能性があることを理解されたい。
【００５８】
一部の態様において、送り手は、中断608から復帰するとステータス情報を生成し、送信する。ステータス情報610は、見つからないまたは消失したユーザデータとともに、中断608の前に受信されたユーザデータの識別情報を含み得る。ステータス情報は、上で説明されたようにSTATUS PDUとして送信され得る。示されるように、STATUS PDU 610は、どのデータPDUが受信されたか、およびどれが見つからないものとして検出されるかについての情報を含むSUFIリストを含む。特に、STATUS PDU 610は、PDU 602b (例えば、連番1を有するPDU)が送信中に消失したことを示す否定応答フィールド(NACK SN = 1, L = 0)を含む。STATUS PDU 610は、受け手がデータPDU 602a (SN = 0)および602c (SN = 2)を正常に受信したことを示す肯定応答フィールド(ACK LSN = 3)も含む。ステータス情報610を受信すると、送り手は、連番1および3〜6を有するPDUが消失し、受け手によって受信されなかったと判定することができる。結果として、送り手は、消失したPDUを再送信することができる。
【００５９】
PDU 612によって示されるように、送り手は、(SN = 6を有する)PDU 606を最初に再送信することができる。一態様によれば、PDU 612は、ポーリング要素を含み得る。別の態様においては、PDU 612は、任意の連番(例えば、SN = 10、15、20など)を有するユーザデータを含む可能性があり、ポーリング要求を含まない可能性がある。PDU 612を受信することに応じて、受け手は、例えば、STATUS PDU 614の形式でステータス情報を生成し、送信することができる。一態様において、STATUS PDU 614は、どのデータPDUが受信されたか、およびどれが見つからないものとして検出されるかについての情報を含むSuper-Field (SUFI)リストを含む。示されるように、STATUS PDU 614は、PDU 602bおよび604a〜604c (例えば、連番1および3〜5までを有するPDU)が送信中に消失したことを示すNACKフィールド(NACK SN = 1, L = 0; SN = 3, L = 2)を含む。STATUS PDU 614は、(SN = 6を有する) PDU 612が正しく受信されたことを示すACKフィールド(ACK LSN = 7)も含む。送り手は、  616 (616a、616b、616c、および616d)によって示されるような消失したPDUを再送信することができる。スライディングウィンドウプロトコルを用いるAMの送信が利用されるとき、送り手は、送信ウィンドウを前にずらし、ユーザデータの次のバッチを含むPDU 618 (SN = 7)を送信することができる。
【００６０】
一部の態様において、送り手は、ステータス情報610を受信した後直ちに、消失したデータPDU 602bおよびPDU 604を送信することを理解すべきである。言い換えると、送り手は、PDU 612を送信する前に、またはPDU 612を送信するとともに、消失したデータPDU 602bおよびPDU 604を送信する可能性がある。消失したデータは、任意の順序で再送信され得る。加えて、PDU 612がポーリング要求を含まない可能性があるので、受け手は、ポーリング要求を受信することと無関係にステータス情報を生成し、送信するように構成され得る。
【００６１】
図7は、図1のワイヤレス通信ネットワーク内で使用され得るプロトコルスタック700の例を示す。プロトコルスタック700は、送り手および受け手によって実装され得る。一態様において、ワイヤレスデバイス302は、プロトコルスタック700の受け手側を実装することができる。プロトコルスタック700は、例えば、UMTS無線通信が使用されるとき、送り手と受け手との間のピアツーピア通信を容易にするために使用され得る。プロトコルスタック700内に示されたレイヤは、物理チャネルと、トランスポートチャネルと、論理チャネルとの間のマッピング、チャネルの優先順位付け、優先順位の処理、およびスケジューリングなどを含むサービスを上位レイヤに提供することができる。上位レイヤは、パケットデータコンバージェンスプロトコル(PDCP)および無線リソース制御(RRC)などを含み得る。
【００６２】
送り手の無線リンク制御(RLC)レイヤ704は、上位レイヤから媒体アクセス制御(MAC)レイヤ706に論理チャネルインターフェースを介してユーザデータ702などのデータを渡すように構成され得る。MACレイヤ706は、データの形式を整え、そのデータをトランスポートチャネルインターフェースを介して物理レイヤ708に送信するように構成される可能性があり、物理レイヤ708は、データを符号化し、物理チャネル(例えば、無線インターフェース)を介して受け手の対応する物理レイヤ710に転送することができる。物理レイヤ710は、データを復号し、そのデータをトランスポートチャネルインターフェースを介してMACレイヤ712まで送信することができ、MACレイヤ712は、データを論理チャネルインターフェースを介してRLCレイヤ716に渡すことができる。RLCレイヤ716は、ユーザデータを上位レイヤに渡すことができる。トランスポートチャネルは、PCH、BCH、MCH、FACHなどを含み得る。
【００６３】
一態様において、MACレイヤ712は、MACレイヤをリセットするように構成されたリセットブロック714を含む。場合によっては、呼のハンドオーバ中などに、受信されるデータは、MACレイヤレストインジケータ(MAC layer rest indicator)を受け手に運ぶ可能性がある。このインジケータは、AP 104のRNCなど、ワイヤレス通信ネットワーク100によって生成され得る。一部の態様において、ステータス情報の生成および送信は、リセットの要求およびMACレイヤ712のリセット動作とは無関係に実行される。
【００６４】
図8は、ダウンリンクのための改善された復旧のための方法800の態様を示す。方法800は、図5および図6に示されるようにステータス情報を生成し、送信するために使用され得る。方法は、ワイヤレスデバイス302の要素によって実行され得る。しかし、当業者は、その他の構成要素が本明細書に記載のステップのうちの1つまたは複数を実装するために使用される可能性があることを理解するであろう。
【００６５】
ブロック802において、ユーザデータが、送り手から受信される。例えば、STA 106が、別のSTA 106および/またはAP 104からユーザデータを受信する。受信は、例えば、受信機312によって実行され得る。ユーザデータは、メモリ306に記憶され、プロセッサ304によって処理され得る。ブロック804において、送り手からのユーザデータが、中断のために受信されない。中断は、例えば、ワイヤレスチャネルのフェージング、ページングチャネル(例えば、PCH)の監視など、ユーザデータを受信するように構成されたチャネル以外のチャネルの監視を含むさまざまな原因に起因する可能性がある。中断は、例えば、プロセッサ304、DSP 320、および/または信号検出器318によって検出され得る。
【００６６】
ブロック806において、方法が中断から復帰し、ステータス情報が送り手に送信される。例えば、ステータス情報は、プロセッサ304によって生成され、送信機310によって送信され得る。ステータス情報は、中断から復帰すると直ちに送信される可能性がある。加えて、ステータス情報は、送り手からポーリング要求を受信することと無関係に自動的に生成され、送信される可能性がある。ステータス情報は、中断前の少なくとも最後の受信されたユーザデータを特定することができる。一部の態様において、ステータス情報は、中断が原因である消失したデータをさらに特定する。
【００６７】
図9は、図1のワイヤレス通信ネットワーク内で使用され得る別の例示的なワイヤレスデバイス900の機能ブロック図である。例えば、ワイヤレスデバイス900は、STA、UE、AT、加入者局、加入者ユニット、移動局、遠隔局、遠隔端末、ユーザ端末、ユーザエージェント、ユーザデバイスなどを含み得る。別の例として、ワイヤレスデバイス900は、LTE、LTE Advanced、HSPA、CDMA、HRPD、eHRPD、CDMA2000、GSM、GPRS、EDGE、UMTSなどを使用するなど、異なる無線アクセステクノロジー(RAT)を使用して動作することができるマルチモードまたはマルチバンドデバイスである可能性がある。
【００６８】
一部の態様において、ワイヤレスデバイス900は、送り手からユーザデータを受信するための受信モジュール902を含む。受信モジュール902は、ブロック802に関して上で検討された機能のうちの1つまたは複数を実行するように構成され得る。受信モジュール902は、受信機312、トランシーバ314、プロセッサ304、信号検出器318、およびDSP 320のうちの1つまたは複数に対応する可能性がある。一態様においては、受信手段が、受信モジュール902を含む可能性がある。ワイヤレスデバイス900は、受信モジュール902が中断が原因でユーザデータの受信を停止したかどうかを判定するための判定モジュール904をさらに含む。判定モジュール904は、ブロック804に関して上で検討された機能のうちの1つまたは複数を実行するように構成され得る。判定モジュール904は、受信機312、トランシーバ314、プロセッサ304、信号検出器318、およびDSP 320のうちの1つまたは複数に対応する可能性がある。一態様においては、判定手段が、判定モジュール904を含む可能性がある。
【００６９】
ワイヤレスデバイス900は、中断から復帰したときにステータス情報を送信するための送信モジュール906をさらに含む。一部の態様において、送信モジュール906は、ブロック806に関して上で検討された機能のうちの1つまたは複数を実行するように構成され得る。送信モジュール906は、プロセッサ304、信号検出器318、DSP 320、送信機310、およびトランシーバ314のうちの1つまたは複数に対応する可能性がある。一態様においては、送信手段が、送信モジュール906を含む可能性がある。ステータス情報は、中断から復帰すると直ちに生成され、送信される可能性がある。加えて、ステータス情報は、送り手からポーリング要求を受信することと無関係に自動的に生成され、送信される可能性がある。ステータス情報は、中断前の少なくとも最後の受信されたユーザデータを特定することができる。一部の態様において、ステータス情報は、中断が原因である消失したデータをさらに特定する。
【００７０】
図10は、図1のワイヤレス通信ネットワーク内で使用され得るさらに別の例示的なワイヤレスデバイス1000の機能ブロック図である。例えば、ワイヤレスデバイス1000は、STA、UE、AT、加入者局、加入者ユニット、移動局、遠隔局、遠隔端末、ユーザ端末、ユーザエージェント、ユーザデバイスなどを含み得る。別の例として、ワイヤレスデバイス1000は、LTE、LTE Advanced、HSPA、CDMA、HRPD、eHRPD、CDMA2000、GSM、GPRS、EDGE、UMTSなどを使用するなど、異なる無線アクセステクノロジー(RAT)を使用して動作することができるマルチモードまたはマルチバンドデバイスである可能性がある。
【００７１】
一部の態様において、ワイヤレスデバイス1000は、送り手からユーザデータを受信するための受信モジュール1002を含む。受信モジュール1002は、ブロック802に関して上で検討された機能のうちの1つまたは複数を実行するように構成され得る。受信モジュール1002は、受信機312、トランシーバ314、プロセッサ304、信号検出器318、およびDSP 320のうちの1つまたは複数に対応する可能性がある。一態様においては、受信手段が、受信モジュール1002を含む可能性がある。ワイヤレスデバイス1000は、受信モジュール1002が中断が原因でユーザデータの受信を停止したかどうかを判定するための判定モジュール1004をさらに含む。判定モジュール1004は、ブロック804に関して上で検討された機能のうちの1つまたは複数を実行するように構成され得る。判定モジュール1004は、受信機312、トランシーバ314、プロセッサ304、信号検出器318、およびDSP 320のうちの1つまたは複数に対応する可能性がある。一態様においては、判定手段が、判定モジュール1004を含む可能性がある。
【００７２】
ワイヤレスデバイス1000は、中断から復帰したときにステータス情報を送信するための送信モジュール1006をさらに含む。一部の態様において、送信モジュール1006は、ブロック806に関して上で検討された機能のうちの1つまたは複数を実行するように構成され得る。送信モジュール1006は、プロセッサ304、信号検出器318、DSP 320、送信機310、およびトランシーバ314のうちの1つまたは複数に対応する可能性がある。一態様においては、送信手段が、送信モジュール1006を含む可能性がある。ステータス情報は、中断から復帰すると直ちに生成され、送信される可能性がある。加えて、ステータス情報は、送り手からポーリング要求を受信することと無関係に自動的に生成され、送信される可能性がある。ステータス情報は、中断前の少なくとも最後の受信されたユーザデータを特定することができる。一部の態様において、ステータス情報は、中断が原因である消失したデータをさらに特定する。
【００７３】
一部の態様において、ワイヤレスデバイス1000は、ユーザデータおよび制御情報のうちの少なくとも一方を送信するように構成された複数の通信チャネルを監視するための監視モジュール1008も含む。例えば、監視モジュール1008は、PCH、BCH、MCH、FACHなどの、制御情報を送信するように構成された1つまたは複数のチャネルとともに、ユーザデータを送信するように構成されたチャネルを監視する可能性がある。中断は、送り手から呼データを受信するように構成されたチャネル以外の通信チャネルを監視モジュール1008が監視することが原因である可能性がある。例えば、監視モジュール1008は、約15フレーム毎にPCHを監視するなど、着呼に関してページングチャネルを周期的に監視する可能性があり、これは、約150ms毎に監視することに対応する可能性がある。監視モジュール1008は、プロセッサ304、信号検出器318、DSP 320、送信機310、およびトランシーバ314のうちの1つまたは複数に対応する可能性がある。一態様においては、監視手段が、監視モジュール1008を含む可能性がある。
【００７４】
本明細書で使用されるとき、用語「判定すること」は、多種多様な動作を包含する。例えば、「判定すること」は、計算すること、算出すること、処理すること、導出すること、調査すること、探索すること(例えば、テーブル、データベース、または別のデータ構造内を探索すること)、突き止めることなどを含む可能性がある。また、「判定すること」は、受信すること(例えば、情報を受信すること)、アクセスすること(例えば、メモリ内のデータにアクセスすること)などを含む可能性がある。さらに、「判定すること」は、解決すること、選ぶこと、選択すること、確立することなどを含む可能性がある。さらに、本明細書において使用される「チャネル幅」は、特定の態様において帯域幅を包含する可能性があり、または帯域幅と呼ばれる可能性もある。
【００７５】
本明細書において使用されるとき、項目の一覧のうちの「少なくとも1つ」を指す語句は、単一の構成要素を含むそれらの項目の任意の組み合わせを指す。例として、「a、b、またはcのうちの少なくとも1つ」は、a、b、c、a-b、a-c、b-c、ならびにa-b-cを包含するように意図される。
【００７６】
上述の方法のさまざまな動作は、さまざまなハードウェアおよび/もしくはソフトウェア構成要素、回路、ならびに/またはモジュールなどの、動作を実行することができる任意の好適な手段によって実行される可能性がある。概して、図面に示された任意の動作は、動作を実行することができる対応する機能的手段によって実行される可能性がある。
【００７７】
本開示に関連して説明されたさまざまな例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくはその他のプログラマブルロジックデバイス(PLD)、個別のゲートもしくはトランジスタ論理、個別のハードウェア構成要素、または本明細書で説明された機能を実行するように設計されたこれらの任意の組み合わせを用いて実装または実行され得る。汎用プロセッサはマイクロプロセッサである可能性があるが、別法として、プロセッサは、任意の市販のプロセッサ、コントローラ、マイクロコントローラ、または状態機械である可能性がある。また、プロセッサは、コンピューティングデバイスの組み合わせ、例えば、DSPとマイクロプロセッサとの組み合わせ、複数のマイクロプロセッサ、DSPコアと連携する1つもしくは複数のマイクロプロセッサ、または任意のその他のそのような構成として実装され得る。
【００７８】
1つまたは複数の態様において、説明された機能は、ハードウェア、ソフトウェア、ファームウェア、またはこれらの任意の組み合わせで実装され得る。ソフトウェアで実装される場合、機能は、コンピュータ可読媒体上の1つまたは複数の命令またはコードとして記憶または送信され得る。コンピュータ可読媒体は、ある場所から別の場所へとコンピュータプログラムを転送することを容易にする任意の媒体を含むコンピュータストレージ媒体と通信媒体との両方を含む。ストレージ媒体は、コンピュータによってアクセスされ得る任意の利用可能な媒体であってよい。限定ではなく例として、そのようなコンピュータ可読媒体は、RAM、ROM、EEPROM、CD-ROMもしくはその他の光ディスクストレージ、磁気ディスクストレージもしくはその他の磁気ストレージデバイス、または命令もしくはデータ構造の形態で所望のプログラムコードを運ぶかもしくは記憶するために使用可能であり、コンピュータによってアクセス可能である任意のその他の媒体を含み得る。また、当然、任意の接続はコンピュータ可読媒体と呼ばれる。例えば、ソフトウェアが、同軸ケーブル、光ファイバケーブル、ツイストペアケーブル、デジタル加入者線(DSL)、または赤外線、ラジオ波、およびマイクロ波などのワイヤレステクノロジーを用いてウェブサイト、サーバ、またはその他のリモートソースから送信される場合、同軸ケーブル、光ファイバケーブル、ツイストペアケーブル、DSL、または赤外線、ラジオ波、およびマイクロ波などのワイヤレステクノロジーは、媒体の定義に含まれる。本明細書において使用されるとき、ディスク(disk)およびディスク(disc)は、コンパクトディスク(compact disc) (CD)、レーザディスク(laser disc)、光ディスク(optical disc)、デジタルバーサタイルディスク(digital versatile disc) (DVD)、フレキシブルディスク(floppy disk)、およびブルーレイディスク(blu-ray disc)を含み、ディスク(disk)が、通常、磁気的にデータを再生する一方、ディスク(disc)は、レーザを用いて光学的にデータを再生する。したがって、一部の態様において、コンピュータ可読媒体は、非一時的コンピュータ可読媒体(例えば、有形の媒体)を含み得る。加えて、一部の態様において、コンピュータ可読媒体は、一時的コンピュータ可読媒体(例えば、信号)を含み得る。上記のものの組み合わせも、コンピュータ可読媒体の範囲に含まれるべきである。
【００７９】
本明細書において開示された方法は、説明された方法を実現するための1つまたは複数のステップまたは動作を含む。方法のステップおよび/または動作は、請求項の範囲を逸脱することなく互いに入れ替えられ得る。言い換えると、ステップまたは動作の特定の順序が指定されない限り、特定のステップおよび/または動作の順序および/または使用は、請求項の範囲を逸脱することなく修正され得る。
【００８０】
説明された機能は、ハードウェア、ソフトウェア、ファームウェア、またはこれらの任意の組み合わせで実装され得る。ソフトウェアで実装される場合、機能は、コンピュータ可読媒体に1つまたは複数の命令として記憶され得る。ストレージ媒体は、コンピュータによってアクセスされ得る任意の利用可能な媒体である可能性がある。限定ではなく例として、そのようなコンピュータ可読媒体は、RAM、ROM、EEPROM、CD-ROMもしくはその他の光ディスクストレージ、磁気ディスクストレージもしくはその他の磁気ストレージデバイス、または命令もしくはデータ構造の形態で所望のプログラムコードを運ぶかもしくは記憶するために使用可能であり、コンピュータによってアクセス可能である任意のその他の媒体を含み得る。本明細書において使用されるとき、ディスク(disk)およびディスク(disc)は、コンパクトディスク(compact disc) (CD)、レーザディスク(laser disc)、光ディスク(optical disc)、デジタルバーサタイルディスク(digital versatile disc) (DVD)、フレキシブルディスク(floppy disk)、およびBlue-ray(登録商標)ディスク(disc)を含み、ディスク(disk)が、通常、磁気的にデータを再生する一方、ディスク(disc)は、レーザを用いて光学的にデータを再生する。
【００８１】
したがって、特定の態様は、本明細書において提示された動作を実行するためのコンピュータプログラム製品を含み得る。例えば、そのようなコンピュータプログラム製品は、本明細書において説明された動作を実行するために1つまたは複数のプロセッサによって実行可能である命令を記憶する(および/または符号化する)コンピュータ可読媒体を含み得る。特定の態様に関して、コンピュータプログラム製品は、包装材を含む可能性がある。
【００８２】
または、ソフトウェアまたは命令は、送信媒体を介して送信される可能性がある。例えば、ソフトウェアが、同軸ケーブル、光ファイバケーブル、ツイストペアケーブル、デジタル加入者線(DSL)、または赤外線、ラジオ波、およびマイクロ波などのワイヤレステクノロジーを用いてウェブサイト、サーバ、またはその他の遠隔のソースから送信される場合、同軸ケーブル、光ファイバケーブル、ツイストペアケーブル、DSL、または赤外線、ラジオ波、およびマイクロ波などのワイヤレステクノロジーは、送信媒体の定義に含まれる。
【００８３】
さらに、本明細書において説明された方法および技法を実行するためのモジュールおよび/またはその他の適切な手段は、適宜、ユーザ端末および/または基地局によってダウンロードされ得るおよび/またはその他の方法で取得され得ることを理解されたい。例えば、そのようなデバイスは、本明細書において説明された方法を実行するための手段の転送を容易にするためにサーバに結合される可能性がある。代替的に、本明細書において説明されたさまざまな方法は、ユーザ端末および/または基地局がストレージ手段をデバイスに結合または提供するとさまざまな方法を取得することができるように、ストレージ手段(例えば、RAM、ROM、コンパクトディスク(CD)またはフレキシブルディスクなどの物理的なストレージ媒体など)によって提供される可能性がある。さらに、本明細書において説明された方法および技法をデバイスに提供するための任意のその他の好適な技法が、利用され得る。
【００８４】
特許請求の範囲は上で示された厳密な構成および構成要素に限定されないことを理解されたい。さまざまな修正、変更、および変形が、特許請求の範囲の範囲を逸脱することなく、上述の方法および装置の構成、動作、および詳細になされ得る。
【００８５】
以上は本開示の態様を対象とするが、本開示のその他のおよびさらなる態様が、本開示の基本的な範囲を逸脱することなく案出される可能性があり、本開示の範囲は、添付の特許請求の範囲によって決定される。
【符号の説明】
【００８６】
100  ワイヤレス通信ネットワークまたはシステム
102  基本サービスエリア
104  アクセスポイント
106  局
200  システム
206  UE
208a  eNodeB
208b  HRPDベーストランシーバステーション
209b  HRPD BTS
210  サービングゲートウェイ
212  進化型アクセスノード(eAN)および進化型パケット制御機能(ePCF)エンティティ
214  HRPDサービングゲートウェイ
216  モビリティ管理エンティティ
218  パケットデータネットワーク(PDN)ゲートウェイ
230  ポリシーおよび課金規則機能
234  3GPP認証、認可、およびアカウンティング(AAA)サーバ/プロキシ
236 3GPP2  AAAサーバ/プロキシ
302  ワイヤレスデバイス
304  プロセッサ
306  メモリ
310  送信機
312  受信機
314  トランシーバ
318  信号検出器
320  デジタル信号プロセッサ
322  インターフェース
402  データPDU
404  データPDU
406  データPDU
408  中断
410  データPDU
412  STATUS PDU
414  消失したPDU
502  データPDU
504  データPDU
506  データPDU
508  中断
510  ステータス情報
512  PDU
514  STATUS PDU
516  PDU
518  PDU
602  データPDU
604  データPDU
606  データPDU
608  中断
610  STATUS PDU
612  PDU
614  STATUS PDU
700  プロトコルスタック
702  ユーザデータ
704  無線リンク制御(RLC)レイヤ
706  媒体アクセス制御(MAC)レイヤ
708  物理レイヤ
710  物理レイヤ
712  MACレイヤ
714  リセット
800  方法
900  ワイヤレスデバイス
902  受信モジュール
904  判定モジュール
906  送信モジュール
1000  ワイヤレスデバイス
1002  受信モジュール
1004  判定モジュール
1006  送信モジュール
1008  監視モジュール
【図１】
0005878647.tif 000002
【図２】
0005878647.tif 000003
【図３】
0005878647.tif 000004
【図４】
0005878647.tif 000005
【図５】
0005878647.tif 000006
【図６】
0005878647.tif 000007
【図７】
0005878647.tif 000008
【図８】
0005878647.tif 000009
【図９】
0005878647.tif 000010
【図１０】
0005878647.tif 000011